(57)【要約】【課題】車両の動的な陰影付けシステムの提供。【解決手段】いくつかの実施形態では、車両の動的な陰影付けシステムは、１つ又は複数の乗員センサと、動的な陰影付け用に構成された窓と、１つ又は複数の乗員センサ及び窓と通信可能に結合された制御部と、を含む。１つ又は複数の乗員センサは、車両の１人又は複数の乗員のそれぞれの位置を示す信号を出力するように構成されている。制御部は、１人又は複数の乗員のそれぞれの陰影の好みにしたがって１人又は複数の乗員のそれぞれを陰影付けするために１人又は複数の乗員のそれぞれの位置に基づいて窓の領域を陰影付けするためのロジックを実行する。【選択図】図１
2020023311.tif 000002
【特許請求の範囲】
【請求項１】
車両の動的な陰影付けシステムであって、
前記車両の１人又は複数の乗員のそれぞれの位置を示す信号を出力するように構成された１つ又は複数の乗員センサと、
動的な陰影付け用に構成された窓と、
前記１つ又は複数の乗員センサ及び前記窓と通信可能に結合された制御部であって、前記１人又は複数の乗員のそれぞれの陰影の好みにしたがって前記１人又は複数の乗員のそれぞれの位置に基づいて前記１人又は複数の乗員のそれぞれを陰影付けすべく前記窓の領域を陰影付けするためのロジックを実行する、前記制御部と、
を備える、動的な陰影付けシステム。
【請求項２】
前記制御部と通信可能に結合されたユーザ入力デバイスをさらに備え、前記１人又は複数の乗員のそれぞれは、前記１人又は複数の乗員のそれぞれに関連付けられた前記陰影の好みを前記制御部に入力し得る、請求項１に記載の動的な陰影付けシステム。
【請求項３】
前記制御部は、
前記１つ又は複数の乗員センサを用いて前記１人又は複数の乗員のそれぞれの位置を監視し、
前記１人又は複数の乗員の動きに基づいて前記窓の動的な陰影付けの位置を調整する、
ためのロジックを実行する、請求項１又は請求項２に記載の動的な陰影付けシステム。
【請求項４】
前記制御部と通信可能に結合され且つ光の点の位置を示す光信号を出力するように構成された１つ又は複数の光センサを備える、請求項１乃至３のいずれか一項に記載の動的な陰影付けシステム。
【請求項５】
前記制御部は、
前記１つ又は複数の光センサを用いて、前記光の点の位置を監視し、
前記光の点の動きに基づいて前記窓の動的な陰影付けの位置を調整する、
ためのロジックを実行する、請求項４に記載の動的な陰影付けシステム。
【請求項６】
前記制御部と通信可能に結合され且つ太陽の位置を示す太陽信号を出力するように構成された１つ又は複数の光センサを備え、前記制御部は、
前記１つ又は複数の乗員センサを用いて前記１人又は複数の乗員のそれぞれの前記位置を監視し、
前記１つ又は複数の光センサを用いて前記１人又は複数の乗員のそれぞれの位置に対する前記太陽の位置を監視し、
前記１人又は複数の乗員の動きと、前記１人又は複数の乗員のそれぞれの位置に対する前記太陽の動きに基づいて前記窓の動的な陰影付けの位置を調整する、
ためのロジックを実行する、請求項１乃至５のいずれか一項に記載の動的な陰影付けシステム。
【請求項７】
前記１人又は複数の乗員のそれぞれの前記陰影の好みは、身体領域の陰影の好みと、陰影の不透明性の好みと、陰影の色の好みと、のうちの少なくとも１つを含む、請求項１乃至６のいずれか一項に記載の動的な陰影付けシステム。
【請求項８】
前記制御部と通信可能に結合されたユーザ入力デバイスをさらに備え、前記制御部は、前記ユーザ入力デバイスから受け取ったメッセージに基づいて前記窓の領域を陰影付けするためのロジックを実行する、請求項１乃至７のいずれか一項に記載の動的な陰影付けシステム。
【請求項９】
前記制御部は、緊急事態を示す緊急出力信号を出力するように構成された前記車両の緊急システムと通信可能に結合され、
前記制御部は、
前記緊急システムの前記緊急出力信号に基づいて緊急事態が発生していることを判定し、
緊急事態が発生していると前記制御部が判定したとき、前記窓の前記動的な陰影付けを自動的に調整して、前記窓の前記動的な陰影付けを用いて緊急信号を表示する、
ためのロジックを実行する、請求項１乃至８のいずれか一項に記載の動的な陰影付けシステム。
【請求項１０】
前記制御部は、前記車両のバッテリの充電レベルを示す充電レベル信号を出力するように構成されたバッテリセンサと通信可能に結合され、
前記制御部は、
前記バッテリセンサによって出力された前記充電レベル信号に基づいて前記バッテリの前記充電レベルを判定し、
前記充電レベル信号が所定の充電レベル未満であると前記制御部が判定するとき、前記窓の前記動的な陰影付けを自動的に調整して、前記窓の前記動的な陰影付けを用いて低バッテリ信号を表示する、
ためのロジックを実行する、請求項１乃至９のいずれか一項に記載の動的な陰影付けシステム。
【請求項１１】
動的な陰影付けシステムであって、
動的な陰影付け用に構成された窓と、
ユーザ入力デバイスと、
前記窓及びユーザ入力デバイスと通信可能に結合された制御部であって、前記窓の前記動的な陰影付けを調整して前記ユーザ入力デバイスから受け取ったメッセージを表示するためのロジックを実行する、前記制御部と、
を備える、動的な陰影付けシステム。
【請求項１２】
前記メッセージの特性は、前記ユーザ入力デバイスへのユーザ入力に基づいて調整可能である、請求項１１に記載の動的な陰影付けシステム。
【請求項１３】
前記特性は、陰影の色及び陰影の不透明性のうちの少なくとも１つを含む、請求項１２に記載の動的な陰影付けシステム。
【請求項１４】
前記窓は、車両の窓であり、
前記制御部は、緊急事態を示す緊急出力信号を出力するように構成された前記車両の緊急システムと通信可能に結合され、
前記制御部は、
前記緊急システムの前記緊急出力信号に基づいて緊急事態が発生していることを判定し、
緊急事態が発生していると前記制御部が判定したとき、前記窓の前記動的な陰影付けを自動的に調整して、前記窓の前記動的な陰影付けを用いて緊急信号を表示する、
ためのロジックを実行する、請求項１１乃至１３のいずれか一項に記載の動的な陰影付けシステム。
【請求項１５】
前記窓は、車両の窓であり、
前記制御部は、前記車両のバッテリの充電レベルを示す充電レベル信号を出力するように構成されたバッテリセンサと通信可能に結合され、
前記制御部は、
前記バッテリセンサによって出力された前記充電レベル信号に基づいて前記バッテリの前記充電レベルを判定し、
前記充電レベル信号が所定の充電レベル未満であると前記制御部が判定するとき、前記窓の前記動的な陰影付けを自動的に調整して、前記窓の前記動的な陰影付けを用いて低バッテリ信号を表示する、
ためのロジックを実行する、請求項１１乃至１４のいずれか一項に記載の動的な陰影付けシステム。
【発明の詳細な説明】
【技術分野】
【０００１】
本明細書は、概して、陰影付け（shading）システムに関し、より詳細には、車両の乗員を動的に陰影付けするための車両用の動的な陰影付けシステムに関する。
【背景技術】
【０００２】
現代の窓は、窓に埋め込まれた分子の極性を変えることにより、要求に応じて色付けするように構成され得る。これら最新の窓は、特定の時刻に作動するようにプログラムされることができる場合がある。例えば、窓は、日中に暗くなり、夜に明るくなり得る。例えば、日中には、窓は、太陽が明るくなるにつれて次第に不透明になり得る。しかしながら、斯かる窓は、ユーザの位置又は陰影付けの好みに基づいて動的に変更することができない場合があるという点で制限されている。
【０００３】
したがって、車両の乗員を動的に陰影付けするための代替的な陰影付けシステムの必要性が存在する。
【発明の概要】
【０００４】
一実施形態では、車両の動的な陰影付けシステムは、１つ又は複数の乗員センサ、動的な陰影付け用に構成された窓、並びに１つ又は複数の乗員センサ及び窓と通信可能に結合された制御部を含む。１つ又は複数の乗員センサは、車両内の１人又は複数の乗員のそれぞれの位置を示す信号を出力するように構成される。制御部は、１人又は複数の乗員のそれぞれの陰影の好みにしたがって１人又は複数の乗員のそれぞれを陰影付けするために、１人又は複数の乗員のそれぞれの位置に基づいて窓の領域を陰影付けするためのロジックを実行する。
【０００５】
別の実施形態では、動的な陰影付けシステムは、動的な陰影付け用に構成された窓と、ユーザ入力デバイスと、窓及びユーザ入力デバイスと通信可能に結合された制御部と、を含む。制御部は、窓の動的な陰影付けを調整して、ユーザ入力デバイスから受信したメッセージを表示するためのロジックを実行する。
【０００６】
さらに別の実施形態では、車両の動的な陰影付けシステムは、１つ又は複数の乗員センサと、動的な陰影付け用に構成された窓と、ユーザ入力デバイスと、１つ又は複数の乗員センサ、窓及びユーザ入力デバイスと通信可能に結合された制御部と、を含む。１つ又は複数の乗員センサは、車両の１人又は複数の乗員のそれぞれの位置を示す信号を出力するように構成される。制御部は、１人又は複数の乗員のそれぞれの陰影の好み及びユーザ入力デバイスから受信したメッセージにしたがって１人又は複数の乗員のそれぞれを陰影付けするために、１人又は複数の乗員のそれぞれの位置の少なくとも１つに基づいて窓の領域を陰影付けするためのロジックを実行する。
【０００７】
本明細書に記載の実施形態によって提供されるこれらの特徴及び追加の特徴は、図面と併せて以下の詳細な説明を考慮するとより完全に理解されるであろう。
【図面の簡単な説明】
【０００８】
【図１】図１は、本明細書に示され且つ記載された１つ又は複数の実施形態に係る、車両の動的な陰影付けシステムを概略的に描く図である。
【図２Ａ】図２Ａは、本明細書に示され且つ記載された１つ又は複数の実施形態に係る、図１の動的な陰影付けシステムによって生成された陰影の好みの出力を例示する図である。
【図２Ｂ】図２Ｂは、本明細書に示され且つ記載された１つ又は複数の実施形態に係る、図１の動的な陰影付けシステムによって生成された陰影の好みの出力を例示する図である。
【図２Ｃ】図２Ｃは、本明細書に示され且つ記載された１つ又は複数の実施形態に係る、図１の動的な陰影付けシステムによって生成された陰影の好みの出力を例示する図である。
【図２Ｄ】図２Ｄは、本明細書に示され且つ記載された１つ又は複数の実施形態に係る、図１の動的な陰影付けシステムによって生成された陰影の好みの出力を例示する図である。
【図３Ａ】図３Ａは、本明細書に示され且つ記載された１つ又は複数の実施形態に係る、図１の動的な陰影付けシステムによって生成された陰影の好みの出力を例示する図である。
【図３Ｂ】図３Ｂは、本明細書に示され且つ記載された１つ又は複数の実施形態に係る、図１の動的な陰影付けシステムによって生成された陰影の好みの出力を例示する図である。
【図３Ｃ】図３Ｃは、本明細書に示され且つ記載された１つ又は複数の実施形態に係る、図１の動的な陰影付けシステムによって生成された陰影の好みの出力を例示する図である。
【図３Ｄ】図３Ｄは、本明細書に示され且つ記載された１つ又は複数の実施形態に係る、図１の動的な陰影付けシステムによって生成された陰影の好みの出力を例示する図である。
【発明を実施するための形態】
【０００９】
図面に示される実施形態は、本質的に説明的及び例示的なものであり、特許請求の範囲によって定義される主題を限定することを意図するものではない。例示的な実施形態の以下の詳細な説明は、同様の構造が同様の参照番号で示されている以下の図面と併せて読むと理解することができる。
【００１０】
概して図を参照すると、本開示は、車両のための動的な陰影付けシステムを対象とする。特に、本開示に係る動的な陰影付けシステムは、動的な陰影付け用に構成された窓と、窓の陰影付けを制御するためのロジックを実行する制御部と、を含む。例えば、いくつかの実施形態では、動的な陰影付けシステムは、車両の１人又は複数の乗員のそれぞれの位置を示す信号を出力するように構成された１つ又は複数の乗員センサを含む。動的な陰影付けシステムは、各乗員の陰影の好みにしたがって各乗員を陰影付けするために、車両の各乗員の位置に基づいて陰影付けを調整し得る。すなわち、各乗員の陰影付けは、その乗員の好みに調整される。したがって、１人の乗員が陰影付けされたいが別の人はされたくない場合、動的な陰影付けシステムは、陰影付けを望む乗員のみが陰影付けされるように窓の陰影付けを調整することができる。更なる実施形態では、動的な陰影付けシステムは、ユーザが単語及び／又は記号を入力することを可能にするユーザ入力デバイスを含むことができ、制御部は、窓の動的な陰影付けを調整してユーザの単語及び／又は記号を表示することができる。これら及び他の特徴は、本明細書でより詳細に説明される。
【００１１】
ここで図１を参照すると、車両１００が概略的に例示されている。車両１００は、動的な陰影付けシステム１０１を含む。車両１００は、概して自動車として描かれているが、車両１００は、例えば陸上車両、水上車両、及び／又は空中車両などの任意の乗用車であってもよいことに留意されたい。いくつかの実施形態では、車両１００は、電動車両又はハイブリッド車両であり得る。本明細書でさらに詳細に説明するように、動的な陰影付けシステム１０１は、車両１００の窓１３０の動的な陰影付けを、位置、サイズ、方向の色、不透明度、単語、記号などの少なくとも１つにおいて調整する。
【００１２】
動的な陰影付けシステム１０１は、概して、制御部１０２と、通信パス１０４と、動的な陰影付け用に構成された窓１３０と、を含む。動的な陰影付けシステム１０１は、１つ又は複数の乗員センサ１１０と、１つ又は複数の光センサ１２０と、ユーザ入力デバイス１４０と、バッテリセンサ１５０と、緊急システム１６０と、をさらに含み得る。本開示に係る動的な陰影付けシステム１０１は、本開示の範囲から逸脱することなく、通信パス１０４を介して互いに通信可能に結合されたより少数又は多数のモジュールを含み得ることに留意されたい。
【００１３】
上述したように、動的な陰影付けシステム１０１は、動的な陰影付けシステム１０１内に配置された様々なモジュール間のデータの相互接続性を提供する通信パス１０４を含む。具体的には、各モジュールは、データを送信及び／又は受信し得るノードとして動作することができる。いくつかの実施形態では、通信パス１０４は、動的な陰影付けシステム１０１全体にわたってプロセッサ、メモリ、センサ、及びアクチュエータへの電気データ信号の送信を可能にする導電性材料を含む。別の実施形態では、通信パス１０４は、例えばＬＩＮバス、ＣＡＮバス、ＶＡＮバスなどであり得る。更なる実施形態では、通信パス１０４は、無線及び／又は光導波路であり得る。通信可能に結合された構成要素は、例えば、導電性媒体を介した電気信号、空気を介した電磁信号、光導波路を介した光信号などのデータ信号を互いに交換することが可能な構成要素を含み得る。
【００１４】
制御部１０２は、１つ又は複数のメモリモジュール１０６と通信可能に結合された１つ又は複数のプロセッサ１０５を含む。１つ又は複数のプロセッサ１０５は、非一時的なコンピュータ可読媒体に記憶された機械可読な命令を実行することが可能な任意のデバイスを含み得る。したがって、各プロセッサは、コントローラ、集積回路、マイクロチップ、コンピュータ、及び／又は任意の他のコンピューティングデバイスを含み得る。
【００１５】
１つ又は複数のメモリモジュール１０６は、通信パス１０４を介して１つ又は複数のプロセッサ１０５と通信可能に結合される。１つ又は複数のメモリモジュール１０６は、揮発性及び／又は不揮発性メモリとして構成されることができ、及び、そのため、（ＳＲＡＭ、ＤＲＡＭ、及び／又は他のタイプのＲＡＭを含む）ランダムアクセスメモリ、フラッシュメモリ、セキュアデジタル（ＳＤ）メモリ、レジスタ、コンパクトディスク（ＣＤ）、デジタル多用途ディスク（ＤＶＤ）、及び／又はその他の種類の非一時的なコンピュータ可読可能媒体を含むことができる。特定の実施形態に応じて、これら非一時的なコンピュータ可読媒体は、動的な陰影付けシステム１０１内及び／又は動的な陰影付けシステム1０１の外部に存在し得る。以下により詳細に説明されるように、１つ又は複数のメモリモジュール１０６は、１つ又は複数個のロジックを記憶するように構成され得る。本明細書に記載された実施形態は、本明細書に記載されたロジックの任意の部分を実行するために分散コンピューティング配置を利用し得る。
【００１６】
本開示の実施形態は、例えば、機械可読な命令にコンパイル又はアセンブルされ且つ機械可読媒体に記憶された、プロセッサによって直接実行され得る機械言語、アセンブリ言語、オブジェクト指向プログラミング（ＯＯＰ）、スクリプト言語、マイクロコードなど、任意の世代（例えば、１ＧＬ、２ＧＬ、３ＧＬ、４ＧＬ、及び／又は５ＧＬ）の任意のプログラミング言語で書き込まれた機械可読な命令及び／又はアルゴリズムを含むロジックを含む。同様に、ロジック及び／又はアルゴリズムは、フィールドプログラマブルゲートアレイ（ＦＰＧＡ）構成又は特定用途向け集積回路（ＡＳＩＣ）、及びそれら同等物を介して実装されるロジックなどのハードウェア記述言語（ＨＤＬ）で書き込まれ得る。したがって、ロジックは、事前にプログラムされたハードウェア要素として、及び／又はハードウェア及びソフトウェアコンポーネントの組み合わせとして、従来のコンピュータプログラミング言語で実装され得る。１つ又は複数のメモリモジュール１０６に記憶されたロジックは、１つ又は複数のプロセッサ１０５によって実行されると、車両の乗員の位置、乗員の記憶された好みのうちの少なくとも１つにしたがって、及びユーザ入力デバイス１４０で受信した乗員からの入力によって、窓１３０の動的な陰影付けを変化させる。
【００１７】
動的な陰影付けシステム１０１は、概して、通信パス１０４を介して制御部１０２と通信可能に結合された、動的な陰影付け用に構成された窓１３０を含む。本開示はしばしば車両１００の文脈（context）における窓に言及しているが、本明細書に記載されたような動的な陰影付けシステム１０１は、これらに限定されないが、家の窓、ビジネス向けの窓（business window）などを含む他の実装の文脈に適用可能であり得ると考えられることに留意されたい。車両１００の文脈では、窓１３０は、車両１００の任意の窓１３０を含み得る。例えば、窓１３０は、車両１００の前面ガラス、助手席側の窓、運転席側の窓、後面ガラス、又はそれらの任意の組み合わせを含み得る。例えば、いくつかの実施形態では、車両１００の各窓は、動的な陰影付けを用いて構成され得る。
【００１８】
動的な陰影付け用に構成されている窓１３０は、いくつかの入力に応答して窓１３０の部分が選択的に暗くなる（例えば、不透明度が増加する）ことを言及する。したがって、窓１３０は、制御部１０２からの制御信号に応答して、光透過率の様々な状態の間で移行可能な任意の媒体から形成され得る。例えば、ある光透過率の状態は、透明な状態であり得る。さらに、第２の光透過率の状態は、透明な状態の窓１３０上に入射する光が不透明な状態の窓１３０を通して透過される光よりも多い不透明な状態であり得る。例えば、窓１３０の光透過率は、０％（すなわち、完全に不透明）から１００％（すなわち、完全に透明）又はその間の任意の割合まで変わり得る。
【００１９】
非限定的な例として、窓１３０は、電圧、光、又は熱が加えられると光透過率が変化するスマートガラスから作られ得る。スマートガラス技術は、エレクトロクロミック、フォトクロミック、サーモクロミック、懸濁粒子、マイクロブラインド（micro-blind）、液晶、及びポリマー分散液晶デバイスを含むが、これらに限定されない。いくつかの実施形態では、窓１３０は、電気励起に応答する画素を含み得る。例えば、制御部１０２は、窓１３０内の画素を制御して、窓１３０の不透明度を制御し得る。いくつかの実施形態では、制御部１０２は、窓１３０の領域を選択的に陰影付けするために黒い画素を集めるためのロジックを実行し得る。いくつかの実施形態では、窓１３０は、電気励起に応答する分子を含み得る。すなわち、電流は、窓１３０の不透明度に影響を及ぼすように分子に光を反射させるために選択された分子の極性及び／又は位置を調整し得る。例えば、電流の追加又は除去は、分子を励起し、窓１３０を多かれ少なかれ不透明にすることができる。いくつかの実施形態では、ユーザの手によって加えられるような熱により、窓の不透明度が変更される場合がある。動的な陰影付けは、色を変更するように構成され得ると考えられる。また、例えば、いくつかの実施形態では、励起のレベルは、動的な陰影付けの色を調整するように構成され得る。
【００２０】
本明細書でより詳細に説明されるように、制御部１０２は、窓１３０の動的な陰影付けを選択的に調整するための励起経路を制御するために１つ又は複数のメモリモジュール１０６に記憶されたロジックを実行し得る。例えば、窓１３０の動的な陰影付けは、１人又は複数の乗員のそれぞれの陰影の好みに応じて１人又は複数の乗員のそれぞれを陰影付けするために、窓１３０の選択された部分が車両１００内の１人又は複数の乗員の位置に基づいて陰影付けされるようになることを可能にする。例えば、図２Ａ−２Ｄに示すように、制御部１０２は、窓１３０の可視光の透過率（不透明度）のレベルを調整することにより、特定の乗員又はその一部のみを陰影付けするように窓１３０の動的な陰影付けを制御することができる。いくつかの実施形態では、制御部１０２は、メッセージを表示するために窓の動的な陰影付けを調整するロジックを実行し得る。例が図３Ａ−３Ｄに示されており、制御部１０２は、例えば、動的な陰影付けを用いて窓１３０に記号、単語、画像などを含むメッセージを表示するように励起経路を調整することができる。
【００２１】
再び図１を参照すると、動的な陰影付けシステム１０１は、１つ又は複数の乗員センサ１１０をさらに含み得る。１つ又は複数の乗員センサ１１０は、車両１００の１人又は複数の乗員のそれぞれの位置を示す位置信号及び／又は車両１００の１人又は複数の乗員のそれぞれの身元を示す認識信号を出力することが可能な任意のセンサを含み得る。いくつかの実施形態では、１つ又は複数の乗員センサ１１０は、車両１００の１人又は複数の乗員のそれぞれの位置を示す位置信号を出力することが可能な専用センサと、車両１００の１人又は複数の乗員のそれぞれの身元を示す認識信号を出力することが可能な専用センサと、を含み得る。いくつかの実施形態では、単一のセンサは、車両１００の乗員の位置を示す位置信号と車両１００の乗員の身元を示す認識信号との両方を出力することが可能であり得る。「１人又は複数の乗員のそれぞれ」という用語の使用は、いくつかの実施形態では、運転席及び助手席内に位置付けられる乗員のみを指し得ることに留意されたい。他の実施形態では、「１人又は複数の乗員のそれぞれ」は、車両１００内の着座位置に関わらず、各乗員を含み得る。
【００２２】
１人又は複数の乗員のそれぞれの位置を示す位置信号を出力することが可能なセンサは、限定されないが、カメラ、座席センサ、シートベルトセンサ、近接センサ、及び／又はそれらの任意の組み合わせを含み得る。１つ又は複数の乗員センサ１１０によって出力される位置信号に基づいて、動的な陰影付けシステム１０１は、制御部１０２によって実行されるロジックを通じて、車両１００内の１人又は複数の乗員のそれぞれの位置を判定し得る。いくつかの実施形態では、１つ又は複数の乗員センサ１１０によって出力される位置信号に基づいて、乗員の特定の特徴（例えば、手、髪、顔、腕など）の場所が判定され得る。制御部１０２は、１人又は複数の乗員のそれぞれに関連付けられた陰影の好みにしたがって１人又は複数の乗員のそれぞれを陰影付けするために、１人又は複数の乗員のそれぞれの位置に基づいて窓１３０の領域を陰影付けするためのロジックを実行し得る。そのような陰影の好みは、ユーザ入力に基づくものであってもよく、又は特定の乗員によって１つ又は複数のメモリモジュール１０６に保存された記憶済みの好みでもあってもよい。いくつかの実施形態では、制御部１０２は、１つ又は複数の乗員センサ１１０を用いて１人又は複数の乗員のそれぞれの位置を監視することができ、且つ１人又は複数の乗員の動きに基づいて窓１３０の動的な陰影付けの位置を調整するためのロジックを実行することができる。
【００２３】
一部の実施形態では、１つ又は複数の乗員センサ１１０によって出力される乗員の位置信号は、１つ又は複数のプロセッサが車両１００内の様々な乗員を識別することを可能にする乗員認識信号を１つ又は複数の乗員センサ１１０に出力させるためのロジックを１つ又は複数のプロセッサ１０５に実行させる。そのため、車両１００内で車両の乗員を検出することは、１人又は複数の乗員を識別し且つ１人又は複数の乗員に関連付けられた陰影の好みを識別するためのプロセスを開始し得る。１人又は複数の車両１００の乗員を認識すると、動的な陰影付けシステム１０１は、特定の乗員に関して記憶された陰影の好みにしたがって窓１３０の動的な陰影付けを調整し得る。陰影の好みは、限定されないが、身体領域の陰影の好み（例えば、手、腕、顔、髪の毛など）、陰影の不透明度の好み、陰影の色の好みなどのうちの少なくとも１つを含み得る。
【００２４】
いくつかの実施形態では、特定の車両の乗員１１２Ａの認識を支援するために、１つ又は複数の乗員センサ１１０は、指紋センサ、顔認識センサ（例えば、カメラ）などを含み得る。例えば、指紋センサは、車両の乗員１１２Ａの指紋をスキャンし、制御部１０２は、システム１０１の１つ又は複数のメモリモジュール１０６に記憶された指紋データに基づいて、スキャンされた指紋と車両１００の既知のユーザのマッチングする指紋とをマッチングするためのロジックを実行し得る。顔認識センサは、紫外線波長帯、可視光波長帯、及び／又は赤外線波長帯の輻射線を検出可能な感知デバイス（例えば、画素）のアレイを有する任意のデバイスであり得る。顔認識センサによって出力される乗員認識信号は、車両の乗員の顔の特徴を示す画像データを含み得る。制御部１０２は、画像データからの顔の特徴を車両１００の特定の車両の乗員とマッチングして、その特定の乗員を識別するために画像データを処理するためのロジックを実行し得る。１つ又は複数の乗員センサ１１０は、車両１００内の任意の場所に設置されて、車両１００の１人又は複数の乗員の位置決め及び／又は認識に関する情報を収集し得る。例えば、乗員センサ１１０は、ダッシュボード、ステアリングホイール、座席、天井などに設置され得る。
【００２５】
本明細書で上述したように、動的な陰影付けシステム１０１は、１つ又は複数の光センサ１２０をさらに含み得る。１つ又は複数の光センサ１２０は、光の点の位置を示す光信号を出力することが可能な任意のセンサを含み得る。例えば、１つ又は複数の光センサ１２０は、フォトレジスタ、フォトダイオード、フォトトランジスタ、カメラなどを含み得る。動的な陰影付けシステム１０１は、光の点から乗員を動的に陰影付けするために車両の乗員に対する光の点を追跡し得る。例えば、車両が交通渋滞に巻き込まれており且つユーザの目に太陽光が集中して映っている場合、制御部１０２は、１つ又は複数の光センサ１２０からの光信号に基づいて、光の点が乗員に入射したことを判定し且つその光の点から乗員を動的に陰影付けするためのロジックを実行し得る。いくつかの実施形態では、制御部１０２は、光の点の移動に基づいて、光の点の位置を監視し且つ窓１３０の動的な陰影付けの位置を調整し得る。
【００２６】
いくつかの実施形態では、１つ又は複数の光センサ１２０は、太陽の位置を示す太陽信号を出力するように構成され得る。斯かる実施形態では、１つ又は複数の光センサ１２０は、位置を判定するために時刻とともに使用され得る車両の場所センサ（例えば、車両１００の地理的座標場所を提供するＧＰＳ信号）を含み得る。制御部１０２は、太陽の位置に基づいて、車両１００内の１人又は複数の乗員のそれぞれに対する太陽の位置を判定するためのロジックを実行し、それに応じて、特定の車両の乗員に太陽光が入射する又は入射しそうであるかどうかを判定し得る。
【００２７】
いくつかの実施形態では、制御部１０２は、１つ又は複数の光センサ１２０を使用して、１つ又は複数の光センサ１２０で太陽の位置を監視し、太陽の動きに基づいて窓１３０の動的な陰影付けの位置を調整するためのロジックを実行し得る。また、いくつかの実施形態では、制御部１０２は、上述のように、１つ又は複数の乗員センサ１１０を用いて１人又は複数の乗員のそれぞれの位置を監視し得る。制御部１０２は、同時に、１人又は複数の光センサ１２０を用いて１人又は複数の乗員のそれぞれの位置に対する太陽の位置又は光の点を監視し、１人又は複数の乗員のうちの少なくとも１人の動きと１人又は複数の乗員のそれぞれの位置に対する太陽又は光の点の動きとに基づいて窓１３０の動的な陰影付けの位置を調整し得る。
【００２８】
いくつかの実施形態では、１つ又は複数の光センサ１２０は、車両１００の環境の輝度を示す信号を出力し得る。例えば、車両１００の環境の輝度が所定の閾値未満である場合、制御部１０２は、１つ又は複数の車両１００の乗員を陰影付けするために、窓１３０の動的な陰影付けを作動することから再構成（reframe）し得る。例えば、車両１００が、屋根付きガレージに駐車されている場合、夜間に使用されている場合、又は他の日影のある環境にいる場合、動的な陰影付けは不要又は望ましくない場合がある。
【００２９】
いくつかの実施形態では、１つ又は複数の光センサ１２０は、ユーザに入射する光を示す信号を出力する、１人又は複数の乗員に向けられたセンサを含み得る。例えば、１つ又は複数の光センサ１２０はカメラを含むことができ、制御部１０２は、乗員が受ける光のレベルを判定するために、カメラによって撮られた画像を処理するためのロジックを実行することができる。制御部１０２は、乗員（又は乗員の一部）の露出のレベルを評価し且つ乗員（又はその一部）が既に陰影付けされているか又は陰影付けが必要かどうかを判定するための評価尺度を利用し得る。乗員又はその一部が所定の閾値を超える光の露出のレベルを有すると判定される場合、制御部１０２は、乗員の陰影の好みにしたがって乗員を動的に陰影付けするために、動的な陰影付けシステム１０１を作動し得る。
【００３０】
車両１００の乗員の陰影の好みを制御／入力するために、車両１００は、ユーザ入力デバイス１４０を含み得る。ユーザ入力デバイス１４０は、通信パス１０４を介して動的な陰影付けシステム１０１の他のモジュールと通信可能に結合され得る。ユーザ入力デバイス１４０は、機械的、光学的又は電気的な信号を、通信パス１０４を用いて送信可能なデータ信号に変換することが可能な任意のデバイスであり得る。具体的には、ユーザ入力デバイス１４０は、物理的な動きを、例えば、ボタン、スイッチ、ノブ、マイクロフォン、キーボード、タッチスクリーンなどの通信パス１０４を介して送信され得るデータ信号に変換する任意の数の可動オブジェクトを含み得る。いくつかの実施形態では、ユーザ入力デバイス１４０は、近距離無線通信などを介して動的な陰影付けシステム１０１の他のモジュールと通信可能に結合されたスマートフォン、タブレット、ラップトップなどの個人用のスマートデバイスであり得る。
【００３１】
いくつかの実施形態では、ユーザ入力デバイス１４０は、窓１３０自体を含み得る。例えば、ユーザは、１つ又は複数の乗員センサ１１０からの信号に基づいて制御部１０２によって決定されるような場所でフロントガラスに触れることができ、フロントガラスのその部分は陰影になることができる。ユーザのフロントガラスとの不注意な接触をフィルタにかけるために、ユーザがフロントガラスに触れている時間は、ユーザによるフロントガラスとの所定の時間を超える接触が動的な陰影付けシステム１０１へのユーザ入力を示すように、１つ又は複数の乗員センサ１１０を使用して制御部１０２によって監視され得る。例えば、２秒を超える接触は、動的な陰影付けをユーザの好みに合わせて調整するためのユーザ入力とユーザの意図とを示し得る。
【００３２】
乗員は、ユーザ入力デバイス１４０を使用して、例えば陰影の色の好み、陰影の位置の好み、身体部分の陰影付けの好み、不透明な陰影付けの好み（opacity shading preferences）など、様々な陰影の好みを制御部１０２に入力し得る。例が図２Ａ−２Ｄに示されている。本明細書でより詳細に説明するように、いくつかの実施形態では、ユーザ入力デバイス１４０は、ユーザが、例えば、記号、単語、画像などを含むメッセージをユーザ入力デバイス１４０に入力することを可能にし、制御部１０２は、窓１３０の動的な陰影付けを用いてユーザの入力を表示するためのロジックを実行し得る。例が図３Ａ−３Ｄに示される。
【００３３】
ここで、図２Ａ−図２Ｄを参照すると、窓１３０の動的な陰影付けの様々な非限定的な例の実装が例示されている。図２Ａ−２Ｄのそれぞれは、車両１００の乗員室１３４内に位置付けられた第１の乗員１１２Ａ及び第２の乗員１１２Ｂを有する車両１００を例示する。図２Ａでは、第１の車両乗員１１２Ａには動的な陰影付け１３２Ａが提供されている一方で、第２の乗員１１２Ｂには提供されていない。上述したように、これはいくつかの理由によるものであり得る。例えば、第１の車両乗員１１２Ａの陰影の好みは第１の車両乗員１１２Ａが陰影付けを望んだことを示す一方で、第２の車両乗員１１２Ｂの陰影の好みは第２の車両乗員１１２Ｂが陰影付けを望まなかったことを示す。代替として、制御部１０２は、制御部１０２が動的な陰影付け１３２Ａを調整して第１の車両乗員１１２Ａのみを陰影付けするように、１つ又は複数の光センサ１２０からの光信号に基づいて、第２の車両乗員１１２Ｂではなく第１の車両乗員１１２Ａに入射する太陽光又は光の点があると判定した可能性もある。図２Ｂを参照すると、第１の車両乗員１１２Ａに対する動的な陰影付け１３２Ｂの位置は同じであるが、この例では、第１の車両乗員１１２Ａのユーザの好みの設定は、制御部１０２に動的な陰影付け１３２Ｂの不透明度を調整させる。例示されるように、図２Ａに例示される動的な陰影付け１３２Ａは、図２Ｂに例示される動的な陰影付け１３２Ｂよりも不透明である。
【００３４】
図２Ｃ及び図２Ｄは、図２Ａ及び図２Ｂに示されたものと同様の動的な陰影付け１３２Ｃ及び１３２Ｄにおける同様の不透明度の違いを例示する。しかしながら、この場合、第１の車両乗員１１２Ａ及び第２の車両乗員１１２Ｂの両方は、動的な陰影付け１３２Ｃ／１３２Ｄが両方のユーザを同時に陰影付けするように、同じ陰影の好みを有する。しかしながら、陰影の好みの様々な組み合わせが、動的な陰影付けシステム１０１により達成可能である。例えば、各車両乗員１１２Ａ及び１１２Ｂは、例えば、不透明度だけでなく、色、陰影付けされる身体部分（例えば、髪、腕、顔など）などを調整し得る。上述したように、いくつかの実施形態では、動的な陰影付け（例えば、１３２Ａ、１３２Ｂ、１３２Ｃ及び／又は１３２Ｄ）は、ユーザの位置及び／又はユーザに対する太陽又は他の光源の位置に基づいて調整され得る。
【００３５】
上述のように、いくつかの実施形態では、ユーザ入力デバイス１４０は、ユーザが記号、テキスト、画像などのうちの１つを含むメッセージをユーザ入力デバイス１４０に入力することを可能にすることができ、制御部１０２は窓１３０の動的な陰影付けを用いてユーザの入力を表示するためのロジックを実行することができる。例えば、メッセージのサイズ、方向、陰影の不透明度及び陰影の色などの特性は、ユーザ入力デバイス１４０への入力に基づいて調整可能であり得る。ここで、図１と併せて図３Ａ−３Ｄを参照すると、車両１００は、車両１００の乗員室１３４内に第１の車両乗員１１２Ａ及び第２の車両乗員１１２Ｂを含むものとして例示されている。図３Ａでは、乗員の１人は、ユーザ入力デバイス１４０を使用して、テキスト「速度を落とします」を入力し得る。制御部１０２は、このユーザ入力に基づいて、テキスト「速度を落とします」を示すように動的な陰影付け１３６Ａを調整する。同様に、図３Ｂでは、制御部１０２は、ユーザ入力に基づいて、「赤ちゃん乗車中」と読めるように動的な陰影付け１３６Ｂを調整している。斯かるテキストは、利用可能なメニューからユーザによって選択されることができ、又は、キーボード、マイク、タッチスクリーンなどを使用してユーザによって入力されることができる。図３Ａ及び３Ｂに示されるテキストは、限定的ではなく、ユーザによって入力され得る可能な例示的なテキストを単に例示しているだけであることに留意されたい。図３Ｃ及び３Ｄは、記号（例えば、それぞれ緊急時記号及び低バッテリ記号）を示すように構成された動的な陰影付け１３８Ａ、１３８Ｂを例示する。
【００３６】
いくつかの実施形態では、動的な陰影付けは、広告を示すために調整され得る。広告は、リモートデバイス又はサーバからの通信（例えば、無線通信）を通じて動的な陰影付けシステム１０１と対にされ得る。例えば、広告は、ネットワークインターフェースハードウェアを使用して、リモートサーバ又はユーザのデバイス（スマートフォン、タブレットなど）から記憶又はダウンロードされ得る。実施形態では、動的な陰影付けは、限定ではないが、記号、絵文字、（例えば、携帯電話などのタッチスクリーン装置に入力された）手描きなどの画像を示し得る。いくつかの実施形態では、ユーザは、例えば、タブレット又はスマートフォンを用いて、動的な陰影付けシステム１０１に図面を入力し得る。メッセージの特性は、ユーザ入力デバイス１４０上のユーザ入力に基づいて調整可能である。メッセージの表示は、車両１００の乗員が車両１００の外部の他の人と通信することを可能にし得る。
【００３７】
いくつかの実施形態では、ユーザ入力デバイス１４０は、ユーザが、車両１００の外側の視界を車両１００の特定の点に遮るための好みに基づいて車両１００の動的な陰影付けを制御することを可能にし得る。例えば、親又は介護者は、車窓を通してなど、子供の視界を遮るように車両１００の動的な陰影付けを制御し得る。
【００３８】
動的な陰影付けシステム１０１は、いくつかの実施形態では、通信パス１０４を介して制御部１０２と通信可能に結合された緊急システム１６０を含み得る。緊急システム１６０は、起こり得る緊急事態を示す信号を出力する様々なモジュールを含み得る。緊急事態は、限定されないが、機械的な不具合、差し迫っている機械の不具合（例えば、エンジンのオーバーヒート、オイル低下（low oil）など）、車両１００への衝撃、又は緊急事態を示すユーザ入力デバイス１４０へのユーザ入力を含み得る。斯かる実施形態では、緊急システム１６０は、緊急事態を示す緊急出力信号を出力するように構成され得る。また、図３Ｃを参照すると、制御部１０２は、その後、緊急システム１６０の緊急出力信号に基づいて緊急事態が発生していると判定するためのロジックを実行し、窓１３０の動的な陰影付け１３８Ａを用いて緊急信号を表示するために窓１３０の動的な陰影付け１３８Ａを自動的に調整し得る。図３Ｃは、動的な陰影付けを用いて緊急信号を表示するための可能な実装を例示する。他の実施形態では、緊急を示す他の記号が考えられ、例えば「助けて！」という単語が表示され得る。
【００３９】
上述したように、動的な陰影付けシステム１０１は、バッテリセンサ１５０をさらに含み得る。バッテリセンサ１５０は、通信パス１０４を介して動的な陰影付けシステム１０１の制御部１０２と通信可能に結合され得る。バッテリセンサ１５０は、車両１００のバッテリ（図示せず）と動作可能に結合され、車両１００のバッテリの充電レベルを示す充電レベル信号を出力するように構成され得る。例えば、ハイブリッド及び／又は電動車両１００は、車両１００を動かすための電力を提供するためにバッテリに依存し得る。いくつかの実施形態では、制御部１０２は、バッテリセンサ１５０によって出力される充電レベル信号に基づいてバッテリの充電レベルを判定するためのロジックを実行して、図３Ｄに例示されるように、所定の充電レベル未満であると制御部１０２が判定したときの窓１３０の動的な陰影付けを用いて、低バッテリ信号を表示するために窓１３０の動的な陰影付けを自動的に調整し得る。例えば、５０％未満の充電レベル、４０％未満の充電レベル、３０％未満の充電レベル、２０％未満の充電レベル、１０％未満の充電レベルなどは、制御部１０２に、窓１３０の動的な陰影付けを用いて低バッテリ信号を自動的に表示するためのロジックを実行させ得る。緊急又は低バッテリ記号の自動表示は、他の人（例えば、緊急対応者／良きサマリア人（good Samaritans））が状況を迅速に評価して車両１００の乗員を支援することを可能にする。
【００４０】
ここで、本明細書に記載された実施形態は、車両用の動的な陰影付けシステムを対象とすることを理解されたい。特に、本開示に係る動的な陰影付けシステムは、動的な陰影付け用に構成される窓と、車両内の様々な乗員の陰影の好みに基づいて窓の陰影付けを制御するためのロジックを実行する制御部と、を含む。したがって、車両の乗員は、自分の好みにしたがって動的な陰影付けを制御し得る。これは、入射光を遮断することによって乗員が車両の内部温度をより適切に制御することを可能にする。更なる実施形態では、動的な陰影付けシステムは、ユーザがメッセージ（例えば、単語及び／又は記号）を入力することを可能にするユーザ入力デバイスを含むことができ、制御部は、窓の動的な陰影付けを調整してユーザのメッセージを表示することができる。したがって、車両の乗員は、車両の外側の人々と容易に通信し得る。
【００４１】
「実質的に（substantially）」及び「約（about）」という用語は、任意の定量的な比較、値、測定、又は他の表現に起因され得る固有の不確実性の度合いを表すために本明細書で利用され得ることに留意されたい。また、本明細書では、これらの用語は、定量的な表現が問題の主題の基本的な機能に変化を生じさせることなく言及された参照から異なり得る度合いを表すために利用される。
【００４２】
特定の実施形態が本明細書で例示及び説明されているが、特許請求された主題の精神及び範囲から逸脱することなく、他の様々な変更及び修正が行われ得ることを理解されたい。さらに、特許請求された主題の様々な態様が本明細書に記載されているが、斯かる態様は組み合わせて利用される必要はない。したがって、添付の特許請求の範囲は、特許請求された主題の範囲内の斯かる全ての変更及び修正を網羅することが意図される。
【００４３】
［例１］
車両の動的な陰影付けシステムであって、
前記車両の１人又は複数の乗員のそれぞれの位置を示す信号を出力するように構成された１つ又は複数の乗員センサと、
動的な陰影付け用に構成された窓と、
前記１つ又は複数の乗員センサ及び前記窓と通信可能に結合された制御部であって、前記１人又は複数の乗員のそれぞれの陰影の好みにしたがって前記１人又は複数の乗員のそれぞれの位置に基づいて前記窓の領域を陰影付けするためのロジックを実行する、前記制御部と、
を備える、動的な陰影付けシステム。
［例２］
前記制御部と通信可能に結合されたユーザ入力デバイスをさらに備え、前記１人又は複数の乗員のそれぞれは、前記１人又は複数の乗員のそれぞれに関連付けられた前記陰影の好みを前記制御部に入力し得る、例１に記載の動的な陰影付けシステム。
［例３］
前記制御部は、
前記１つ又は複数の乗員センサを用いて前記１人又は複数の乗員のそれぞれの位置を監視し、
前記１人又は複数の乗員の動きに基づいて前記窓の動的な陰影付けの位置を調整する、
ためのロジックを実行する、例１に記載の動的な陰影付けシステム。
［例４］
前記制御部と通信可能に結合され且つ光の点の位置を示す光信号を出力するように構成された１つ又は複数の光センサを備える、例１に記載の動的な陰影付けシステム。
［例５］
前記制御部は、
前記１つ又は複数の光センサを用いて、前記光の点の位置を監視し、
前記光の点の動きに基づいて前記窓の動的な陰影付けの位置を調整する、
ためのロジックを実行する、例４に記載の動的な陰影付けシステム。
［例６］
前記制御部と通信可能に結合され且つ太陽の位置を示す太陽信号を出力するように構成された１つ又は複数の光センサを備え、前記制御部は、
前記１つ又は複数の乗員センサを用いて前記１人又は複数の乗員のそれぞれの前記位置を監視し、
前記１つ又は複数の光センサを用いて前記１人又は複数の乗員のそれぞれの位置に対する前記太陽の位置を監視し、
前記１人又は複数の乗員の動きと、前記１人又は複数の乗員のそれぞれの位置に対する前記太陽の動きに基づいて前記窓の動的な陰影付けの位置を調整する、
ためのロジックを実行する、例１に記載の動的な陰影付けシステム。
［例７］
前記１人又は複数の乗員のそれぞれの前記陰影の好みは、身体領域の陰影の好みと、陰影の不透明性の好みと、陰影の色の好みと、のうちの少なくとも１つを含む、例１に記載の動的な陰影付けシステム。
［例８］
動的な陰影付けシステムであって、
動的な陰影付け用に構成された窓と、
ユーザ入力デバイスと、
前記窓及びユーザ入力デバイスと通信可能に結合された制御部であって、前記窓の前記動的な陰影付けを調整して前記ユーザ入力デバイスから受け取ったメッセージを表示するためのロジックを実行する、前記制御部と、
を備える、動的な陰影付けシステム。
［例９］
前記メッセージの特性は、前記ユーザ入力デバイスへのユーザ入力に基づいて調整可能である、例８に記載の動的な陰影付けシステム。
［例１０］
前記特性は、陰影の色及び陰影の不透明性のうちの少なくとも１つを含む、例９に記載の動的な陰影付けシステム。
［例１１］
前記窓は、車両の窓であり、
前記制御部は、緊急事態を示す緊急出力信号を出力するように構成された前記車両の緊急システムと通信可能に結合され、
前記制御部は、
前記緊急システムの前記緊急出力信号に基づいて緊急事態が発生していることを判定し、
緊急事態が発生していると前記制御部が判定したとき、前記窓の前記動的な陰影付けを自動的に調整して、前記窓の前記動的な陰影付けを用いて緊急信号を表示する、
ためのロジックを実行する、例８に記載の動的な陰影付けシステム。
［例１２］
前記窓は、車両の窓であり、
前記制御部は、前記車両のバッテリの充電レベルを示す充電レベル信号を出力するように構成されたバッテリセンサと通信可能に結合され、
前記制御部は、
前記バッテリセンサによって出力された前記充電レベル信号に基づいて前記バッテリの前記充電レベルを判定し、
前記充電レベル信号が所定の充電レベル未満であると前記制御部が判定するとき、前記窓の前記動的な陰影付けを自動的に調整して、前記窓の前記動的な陰影付けを用いて低バッテリ信号を表示する、
ためのロジックを実行する、例８に記載の動的な陰影付けシステム。
［例１３］
車両の動的な陰影付けシステムであって、
前記車両の１人又は複数の乗員のそれぞれの位置を示す信号を出力するように構成された１つ又は複数の乗員センサと、
動的な陰影付け用に構成された窓と、
ユーザ入力デバイスと、
前記窓、前記１つ又は複数の乗員センサ及び前記ユーザ入力デバイスと通信可能に結合された制御部であって、前記１人又は複数の乗員のそれぞれの陰影の好み及び前記ユーザ入力デバイスから受け取ったメッセージにしたがって前記１人又は複数の乗員のそれぞれの位置の少なくとも１つに基づいて前記窓の領域を陰影付けするためのロジックを実行する、前記制御部と、
を備える、動的な陰影付けシステム。
［例１４］
前記制御部は、
前記１つ又は複数の乗員センサを用いて前記１人又は複数の乗員のそれぞれの位置を監視し、
前記１人又は複数の乗員の動きに基づいて前記窓の動的な陰影付けの位置を調整する、
ためのロジックを実行する、例１３に記載の動的な陰影付けシステム。
［例１５］
前記制御部と通信可能に結合され且つ光の点の位置を示す光信号を出力するように構成された１つ又は複数の光センサを備える、例１３に記載の動的な陰影付けシステム。
［例１６］
前記制御部は、
前記１つ又は複数の光センサを用いて前記光の点の位置を監視し、
前記光の点の動きに基づいて前記窓の動的な陰影付けの位置を調整する、
ためのロジックを実行する、例１５に記載の動的な陰影付けシステム。
［例１７］
前記制御部と通信可能に結合され且つ前記１人又は複数の乗員のそれぞれに対する太陽の位置を示す太陽信号を出力するように構成された１つ又は複数の光センサを備え、前記制御部は、
前記１つ又は複数の乗員センサを用いて前記１人又は複数の乗員のそれぞれの位置を監視し、
前記１つ又は複数の光センサを用いて前記１人又は複数の乗員のそれぞれに対する前記太陽の位置を監視し、
前記１人又は複数の乗員の動き及び前記窓に対する前記太陽の動きに基づいて前記窓の動的な陰影付けの位置を調整する、
ためのロジックを実行する、例１３に記載の動的な陰影付けシステム。
［例１８］
前記１人又は複数の乗員のそれぞれの前記陰影の好みは、身体部分の陰影の好み、陰影の不透明性の好み及び陰影の色の好みのうちの少なくとも１つを含む、例１３に記載の動的な陰影付けシステム。
［例１９］
前記制御部は、緊急事態を示す緊急出力信号を出力するように構成された前記車両の緊急システムと通信可能に結合され、
前記制御部は、
緊急事態が発生していると前記制御部が判定したとき、前記窓の前記動的な陰影付けを自動的に調整して、前記窓の前記動的な陰影付けを用いて緊急信号を表示する、
ためのロジックを実行する、例１３に記載の動的な陰影付けシステム。
［例２０］
前記制御部は、前記車両のバッテリの充電レベルを示す充電レベル信号を出力するように構成されたバッテリセンサと通信可能に結合され、
前記バッテリセンサによって出力された前記充電レベル信号に基づいて前記バッテリの前記充電レベルを判定し、
前記充電レベル信号が所定の充電レベル未満であると前記制御部が判定するとき、前記窓の前記動的な陰影付けを自動的に調整して、前記窓の前記動的な陰影付けを用いて低バッテリ信号を表示する、
ためのロジックを実行する、例１３に記載の動的な陰影付けシステム。
【図１】
2020023311.tif 000003
【図２Ａ】
2020023311.tif 000004
【図２Ｂ】
2020023311.tif 000005
【図２Ｃ】
2020023311.tif 000006
【図２Ｄ】
2020023311.tif 000007
【図３Ａ】
2020023311.tif 000008
【図３Ｂ】
2020023311.tif 000009
【図３Ｃ】
2020023311.tif 000010
【図３Ｄ】
2020023311.tif 000011
【外国語明細書】
2020023311000001.pdf